(57)【要約】  本発明は、部屋の中の照明状態を決定する照明ユニット（２）の照明色及び／又は強度を制御するユーザインタフェース（３）を備える照明システム（１）に関する。前記ユーザインタフェース（３）は、検出装置（４）及びトランスポンダ（６）を有するシステムに基づいている。前記トランスポンダ（６）を、該トランスポンダ（６）が検出されるであろうように前記検出装置（４）内に動かすことにより、該トランスポンダ（６）は応答信号を送信し、前記信号が、前記照明ユニット（２）の前記照明色及び／又は強度を制御する。各トランスポンダ（６）は、特定の色又は特定の光強度を制御するようプログラムされる。
2007536720.tif 000002
【特許請求の範囲】
【請求項１】
照明ユニットと、前記照明ユニットの照明色及び／又は強度を制御するユーザインタフェースとを有する照明装置であって、前記ユーザインタフェースが、複数のトランスポンダと、トランスポンダを検出する検出装置とを持ち、各トランスポンダが、特定の照明色及び／又は強度を制御するよう構成され、且つ該トランスポンダが前記検出装置によって検出されない状態に対応する第１位置、及び該トランスポンダが該検出装置によって検出され、応答信号を送信する状態に対応する第２位置をとるよう構成され、前記応答信号が、前記照明ユニットの前記照明色及び／又は強度を制御する照明装置。
【請求項２】
制御される前記特定の照明色が、原色の赤色、緑色及び青色を有することを特徴とする請求項１に記載の照明装置。
【請求項３】
前記照明ユニットがLEDを有することを特徴とする請求項１又は２に記載の照明装置。
【請求項４】
照明色の前記強度が、該色を制御するよう構成されたトランスポンダであって、前記第２位置をとるトランスポンダの数に比例することを特徴とする請求項１、２又は３に記載の照明装置。
【請求項５】
前記トランスポンダが、各々が識別番号を有するRFIDタグであることを特徴とする請求項１、２、３又は４に記載の照明装置。
【請求項６】
前記検出装置が、動作中、前記RFIDタグによって受信されるであろう電磁信号を送信するよう構成されるアンテナを有し、前記応答信号が、前記RFIDタグの前記識別番号を有することを特徴とする請求項５に記載の照明装置。
【請求項７】
前記検出装置が、ボウル状容器に組み込まれ、前記トランスポンダが、有体物に組み込まれ、トランスポンダは、該トランスポンダが前記ボウル状容器の外にある場合に該トランスポンダの第１位置にあり、該トランスポンダが該ボウル状容器の中にある場合に該トランスポンダの第２位置にあることを特徴とする請求項１、２、３、４、５又は６に記載の照明装置。
【請求項８】
各有体物が、該有体物が制御するよう構成される前記照明色に対応する色をしていることを特徴とする請求項７に記載の照明装置。
【請求項９】
前記有体物が、ビー玉の形をしていることを特徴とする請求項７又は８に記載の照明装置。
【請求項１０】
前記トランスポンダが、各々スイッチング素子を具備し、少なくとも第１面及び第２面を持つ有体物に組み込まれ、前記第１面が上である場合に前記スイッチがオフであり、前記第２面が上である場合に前記スイッチがオンであり、前記有体物が該有体物の第１面を上にして配置される場合にトランスポンダが該トランスポンダの第１位置にあり、前記有体物が該有体物の第２面を上にして配置される場合に前記トランスポンダが該トランスポンダの第２位置にあることを特徴とする請求項１、２、３、４、５又は６に記載の照明装置。
【請求項１１】
各有体物の前記第２面が、該有体物が制御する前記照明色に対応するように着色され、各有体物の前記第１面には、前記色のしるしがついていることを特徴とする請求項１０に記載の照明装置。
【請求項１２】
前記検出装置が、ボウル状容器に組み込まれ、円盤状有体物の形態をとる前記トランスポンダが、前記ボウル状容器の中に配置されることを特徴とする請求項１０又は１１に記載の照明装置。
【請求項１３】
前記検出装置が、表面、とりわけテーブルを囲み、立方体状有体物の形態をとる前記トランスポンダが、前記表面上に配置されることを特徴とする請求項１０又は１１に記載の照明装置。
【請求項１４】
前記照明装置が、前記検出装置からの前記応答信号を前記照明ユニットのための入力値に変換する処理ユニットを更に有することを特徴とする請求項１乃至１３のいずれか一項に記載の照明装置。 
【請求項１５】
照明ユニットを制御するユーザインタフェースであり、複数のトランスポンダと、検出装置とを持つユーザインタフェースであって、各トランスポンダが、前記照明ユニットの特定の照明色及び／又は強度を制御するよう構成され、且つ該トランスポンダが前記検出装置によって検出されない状態に対応する第１位置、及び該トランスポンダが該検出装置によって検出され、応答信号を送信する状態に対応する第２位置をとるよう構成され、前記応答信号が、前記照明ユニットの前記照明色及び／又は強度を制御するユーザインタフェース。
【請求項１６】
照明ユニットと処理ユニットとの組立体であって、前記処理ユニットが、請求項１５の前記ユーザインタフェースによって引き渡される応答信号を受け、この応答信号を前記照明ユニットのための入力値に変換するよう構成されることを特徴とする照明ユニットと処理ユニットとの組立体。
【請求項１７】
複数のトランスポンダと、検出装置とを持つユーザインタフェースによって照明装置の照明色及び／又は強度を制御する方法であって、各トランスポンダが、前記照明ユニットの特定の照明色及び／又は強度を制御するよう構成され、前記方法が、トランスポンダを、該トランスポンダが前記検出装置によって検出されない状態に対応する第１位置から、該トランスポンダが該検出装置によって検出され、応答信号を送信する状態に対応する第２位置へ動かすステップを含み、前記応答信号が、前記照明ユニットの前記照明色及び／又は強度を制御する方法。
【発明の詳細な説明】
【技術分野】
【０００１】
本発明は、照明ユニットと、前記照明ユニットの照明色及び／又は強度(intensity)を制御するインタフェースとを有する照明装置に関する。
【０００２】
本発明は、更に、照明装置を制御するユーザインタフェースと、このようなユーザインタフェースによって制御される処理ユニット及び照明ユニットの組立体と、照明装置を制御する方法に関する。
【背景技術】
【０００３】
今日の光源は、大体は、１つの照明色しか含まず、これらの光源は、該光源を点灯する若しくは消す又は減光することによって制御され得る。近い将来には、どの家庭においても、全スペクトルの有色光を生成することが可能である光源が当たり前のものになるであろう。このような光源は、点灯される部屋又は場所に依存して、ほとんどどんな色及び雰囲気も作成することを可能にするであろう。
【０００４】
結果として、このような光源の制御はより複雑になるであろう。なぜなら、光の強度又は明るさの他に、カラーアスペクト(color aspect)も制御される必要があるからである。照明色の変更は、多くの人々にとって新しいことであるから、このような制御ユニットが使い易いことは重要である。
【０００５】
先行技術の不利な点は、該先行技術が、幅広いスペクトルを持つ光源を制御する簡単な方法を提供していないことにある。
【発明の開示】
【発明が解決しようとする課題】
【０００６】
本発明の目的は、簡単且つ直観的な方法で制御され得る照明装置を提供することにある。
【課題を解決するための手段】
【０００７】
本発明によれば、この目的は、照明ユニットと、前記照明ユニットの照明色及び／又は強度を制御するユーザインタフェースとを有する照明装置であって、前記ユーザインタフェースが、複数のトランスポンダと、トランスポンダを検出する検出装置とを持ち、各トランスポンダが、特定の照明色及び／又は強度を制御するよう構成され、且つ該トランスポンダが前記検出装置によって検出されない状態に対応する第１位置、及び該トランスポンダが該検出装置によって検出され、応答信号を送信する状態に対応する第２位置をとるよう構成され、前記応答信号が、前記照明ユニットの前記照明色及び／又は強度を制御する照明装置によって達成される。
【０００８】
本発明は、（ここではトランスポンダと呼ばれる）有体物(tangible object)をこれらの有体物のための検出装置に対して動かすことにより、特に各トランスポンダが特定の色に対応する場合には、光源の色又は強度を変更することがユーザにとって非常に容易になるであろうという認識に基づいている。例えば、ユーザが或る色の強度を変更したい場合には、唯一、該ユーザがする必要があることは、その色に対応するトランスポンダを或る位置から別の位置へ変更することである。前記トランスポンダのこの動きは、該トランスポンダに該トランスポンダの応答信号を変更させるであろう。この応答信号が、照明色の変更のための手段である。
【０００９】
好ましい実施例においては、制御される前記特定の照明色は、原色の赤色、緑色及び青色を有する。 
【００１０】
１９３１−ＣＩＥ−色度図においては、これらの原色は三角形を形成し、３つの関連する原色の光源の強度の割合を調節することによって、この三角形内の全ての色が生成され得る。詳細には、これは、（ハロゲンタイプのランプの光のような）冷たい光(cold light)から（従来の電球の光のような）暖かい光(warm light)まで、広範な色温度の白色光の選択を可能にする。
【００１１】
これは、あらゆる種類の光源に適用可能である。例は、白熱灯及び発光ダイオード(LED)であるが、本発明は、これらの例に限定されない。
【００１２】
他の実施例は、照明色の前記強度が、該色を制御するよう構成されたトランスポンダであって、前記第２位置をとるトランスポンダの数に比例することを特徴とする。
【００１３】
この実施例の構成は、照明装置の直観的制御を達成するのに非常に有利である。第２位置に置かれる前記トランスポンダが多ければ多いほど、生成されるその特定の色の光出力は高くなる。トランスポンダの数との間の関係は、例えば、直線的に選ばれてもよく、即ち、電力は、トランスポンダの数に直線的に比例する。別の選択肢は、前記第２位置にあるトランスポンダの数と、前記照明ユニットに供給される電力との間に指数関数的な関係を作成するものであり、これは、人間の目の知覚面によりよく適合する。
【００１４】
他の好ましい実施例においては、前記トランスポンダは、各々が識別番号を有するRFIDタグであり、前記検出装置は、動作中、前記RFIDタグによって受信されるであろう電磁信号を送信するよう構成されるアンテナを有し、前記応答信号は、前記RFIDタグの前記識別番号を有する。 
【００１５】
前記トランスポンダには無線周波数識別タグ（RFIDタグ）を選ぶのが好ましい。これらのタグは、広く知られており、例えば、盗難を防止するために店のセキュリティシステムにおいて幅広く用いられている。このようなRFIDタグは、（該RFIDタグが前記検出装置によって検出されない）該RFIDタグの第１位置から（該RFIDタグが該検出装置によって検出される）該RFIDタグの第２位置へ動かされる場合、応答信号として該RFIDタグの識別番号、即ちID番号を送信するであろう。このID番号は、例えばルックアップテーブルによって、ユニークな方法で、色又は強度の変更に結びつけられ得る。
【００１６】
調節済みの色で、比例的に、従って、色に中立的な方法(color-neutral way)で光の強度を変更するためにトランスポンダのID番号を結びつけることも可能であろう。更に、前記照明ユニットに或る量の白色光を付加することによって前記強度を変更する「白色」RFIDタグを用いることが可能であろう。ほとんどの場合、これは、光の色を変化させるであろう。このような照明装置を調節するのを楽にするために、前記トランスポンダには、該トランスポンダが制御する各々の色がつけられてもよい。従って、このようなシステムは、例えば、前記原色を調節するための赤色、緑色及び青色のトランスポンダと、白色光を付加することによって色設定に影響を及ぼす白色のトランスポンダとを有してもよい。
【００１７】
このような照明装置の一例は、前記検出装置が、ボウル状容器(bowl-like container)に組み込まれ、前記トランスポンダが、有体物に組み込まれ、トランスポンダは、該トランスポンダが前記ボウル状容器の外にある場合に該トランスポンダの第１位置にあり、該トランスポンダが該ボウル状容器の中にある場合に該トランスポンダの第２位置にあることを特徴とする。
【００１８】
この例においては、前記トランスポンダは、ボウル上に置かれ得るビー玉(marble)であってもよく、前記ボウル内の全ての前記トランスポンダが、対応する前記照明ユニットの色及び強度を決定する。このようなボウルは、果物用ボウルのようにテーブル上に置かれてもよく、家庭内において装飾的な物体であってもよい。
【００１９】
別の例は、前記トランスポンダが、各々スイッチング素子を具備し、少なくとも第１面及び第２面を持つ有体物に組み込まれ、前記第１面が上である場合に前記スイッチがオフであり、前記第２面が上である場合に前記スイッチがオンであり、トランスポンダは、前記有体物が該有体物の第１面を上にして配置される場合に該トランスポンダの第１位置にあり、該有体物が該有体物の第２面を上にして配置される場合に該トランスポンダの第２位置にあることを特徴とする。
【００２０】
この例においては、前記トランスポンダは、ただ該トランスポンダをひっくり返すことによって該トランスポンダの第１位置から該トランスポンダの第２位置に移される。これは、前記ボウル状容器の場合には、全ての前記トランスポンダが、常に、このボウルの中にあることができ、上を向いている面によって前記トランスポンダがアクティブであるか否かが決定されることを意味する。
【００２１】
同じようにして、前記検出装置は、例えば、テーブルの縁端部又は表面に組み込まれてもよく、従って、照明装置であって、該照明装置のための全ての前記トランスポンダが、ただ前記検出装置の領域内の前記テーブル上にある物体であり、前記トランスポンダをひっくり返す（又はひっくり返さない）ことによって前記照明ユニットが制御される照明装置を提供し得る。
【００２２】
更に、前記照明装置は、該照明装置が、前記検出装置からの前記応答信号を前記照明ユニットのための入力値に変換する処理ユニットを更に有することを特徴とする。 
【００２３】
第２位置に置かれる各トランスポンダは、前記照明ユニットを駆動するのに必要とされる情報に変換され得る応答信号を送信する。この変換は、例えばパソコンなどの処理ユニットによって容易に行なわれ得る。一例として、前記変換は、多数のトランスポンダからの一連の応答信号と、前記照明ユニットの対応する前記照明色及び／又は強度との間の関係を示すルックアップテーブルから導き出されてもよい。
【００２４】
更に、本発明は、このような照明装置の照明ユニットを制御するユーザインタフェースと、このようなユーザインタフェースによって制御される処理ユニット及び照明ユニットの組立体と、この照明ユニットを制御する方法に関する。
【００２５】
下記の実施例及び図面を参照して、例であって、これに限定されない例によって、本発明のこれら及び他の面を説明し、明らかにする。  
【発明を実施するための最良の形態】
【００２６】
図１は、本発明による照明装置１の様々な構成要素の図式的概観を示している。照明装置１は、照明ユニット２及びユーザインタフェース３を有する。ユーザインタフェース３においては、以下の素子、即ち、例えばアンテナなどの検出装置４と、トランスポンダ６とが識別され得る。この例においては、検出装置４はボウル５に取り付けられる。この例においては、トランスポンダ６がボウルの外に配置される場合、前記トランスポンダ６は非アクティブであるとみなされ、即ち、該トランスポンダ６は、検出装置４によって検出されないのに対して、トランスポンダ６がボウルの中に配置される場合、前記トランスポンダ６はアクティブであり、即ち、該トランスポンダ６は検出され、応答信号を送り返す。この応答信号は、駆動回路８が光源７を駆動するのに適した信号に変換される。応答信号から照明ユニット２の色及び／又は強度の選ばれたものへのこの変換は、処理ユニット９、例えばパソコンによって行なわれる。前記処理ユニット９は、別個のものであってもよいが、他の例においては、ユーザインタフェース３又は照明ユニット２に組み込まれてもよい。
【００２７】
ユーザインタフェース３は、部屋の中の照明のための遠隔制御装置と見られ得る。応答信号から得られた情報は処理ユニット９に送信され、変換データが駆動回路８に送信される。この情報伝達は、別々のユニットの物理的な相互接続を介してもよいが、他の例においては、情報の無線伝送によって行なわれてもよい。 
【００２８】
光源７は、様々な色のＬＥＤ又は従来のランプなどの別の光源であってもよい。
【００２９】
ここでは、本発明は、２つの例に基づいて記載されているが、これらの例に限定されない。
【００３０】
第１実施例のユーザインタフェース３が図２Ａ−２Ｅに示されている。このユーザインタフェース３は、ボウル状容器５及び多数のトランスポンダ６を持つ。ボウル状容器５は、テーブルにおいて装飾的価値を持ち得る果物用ボウルのようなボウルであってもよいが、トランスポンダ６を収容するのに適した任意の他の形状であってもよい。ボウル状容器５は検出装置４を具備し、これはボウル状容器５の縁端部に取り付けられるアンテナ又はコイルであってもよい。この検出装置４は、電源と、トランスポンダ６から情報を読み出す手段とを具備しなければならない。トランスポンダ６としてRFIDタグ（RFIDは無線周波数識別を表わす）が選ばれてもよい。これらのRFIDタグは、ID番号を含むようプログラムされ得るICを有する。検出装置４は、電磁信号を送信するアンテナを有する。この電磁信号は、RFIDタグであって、該RFIDタグの電力供給のためにこの信号からのエネルギを使用するRFIDタグによって受信され、RFIDタグは、該RFIDタグにおいてプログラムされているように識別番号を持つ応答信号を送り返す。
【００３１】
この情報は処理ユニット９に送信され、前記処理ユニット９において、前記情報は照明ユニット２のための入力信号に変換される。この処理ユニット９は、この応答信号を、照明装置２を駆動するための適切なパラメータに変換するであろう。照明装置２がLEDシステムである場合には、これらのパラメータは、LEDの或る光出力を持つのに必要とされる電流であってもよく、多数のLEDの場合には、これらのパラメータは、どのLEDをオンにし、どのLEDをオフにするかを決定してもよい。
【００３２】
図２Ａにおいては、照明ユニット２はオフ状態にあり、全てのトランスポンダが、該トランスポンダの第１位置又は非アクティブ位置と呼ばれるボウル状容器５の外にある。この例においては、トランスポンダ６は、以下ではビー玉とも呼ばれるビー玉の形をした有体物内に含まれ、前記ビー玉は、該ビー玉が照明の所望の色になす寄与に対応するように着色される。例えば、照明ユニットが、赤色、緑色及び青色のLEDを有する場合には、ビー玉も、赤色、緑色及び青色である。図２Ｂ及び２Ｃにおいては、照明ユニットは、アクティブ位置にあるトランスポンダ６に対応する一色だけの光を放射するであろう。
【００３３】
図２Ｄ及び２Ｅに示されているような、ボウル状容器５へのより多くのトランスポンダ６の付加は、色の混合を生じさせるであろう。光の強度は、同じ色のビー玉をより多く付加することによって制御され得る。それは、アクティブである対応する色のビー玉の数に対して直線的にLEDの電力を増加させるよう選ばれ得る。 
【００３４】
人間の目の感度は、対数関数的な性質を示す、即ち、目は、照明源の電力が指数関数的に増加される場合に、直線的なような強度の増大を知覚する。この理由のために、処理ユニット９は、ボウル状容器５にビー玉を付加することにより、強度が指数関数的に増大するようにプログラムされてもよい。
【００３５】
ボウル状容器５が、所望の色の照明を供給するために選ばれた多数のビー玉を有し、強度が増大されなければならない場合には、ビー玉は、光の色を同じに保つために、ボウル状容器５内に既にあるのと同じ割合で付加されなければならない。光の強度を増大させるためのあり得る変形例として、光強度専用ビー玉の使用がなされてもよい。これらのビー玉のために、処理ユニット９は、既にアクティブな異なる色のビー玉の割合に依存して、光の強度を増大させるようプログラムされる。従って、これらの光強度専用ビー玉は照明色を変化させない。
【００３６】
光の強度はまた、ビー玉が大きいほど、光の強度が高いというように異なる大きさのビー玉によって制御されてもよい。
【００３７】
更に、混合された色を持つビー玉を使用することが可能であろう。例えば、紫色のビー玉は、青色及び赤色のLEDを同時に駆動するであろう。
【００３８】
非アクティブであるよう選ばれるビー玉は、別個の箱の中に置かれてもよく、又はただボウル状容器のそばに置かれてもよい。変形例として、図３に示されているように、検出装置４によって囲まれる領域の外に配置される溝１０であって、非アクティブなビー玉が置かれ得る溝１０を備えるボウル状容器５が用いられてもよい。
【００３９】
図４は、本発明の第２実施例を示している。この例においては、トランスポンダ６は、表面１５、例えばテーブル上に配置される立方体１１に組み込まれる。検出装置４は、テーブルの上面の縁端部又はテーブルの上面の或る領域内に取り付けられ得る。更に、トランスポンダ６は、各々、トランスポンダ６が非アクティブからアクティブに変わることを可能にするスイッチング素子１４を具備する。例えば、このスイッチング素子１４は、重力スイッチであってもよく、前記スイッチング素子１４は、立方体がその第１位置にある場合に開いており（オフ又は非アクティブ位置にあり）、立方体がその第２位置にひっくり返される場合に閉じられる（オン又はアクティブ位置にある）。図４においては、立方体の内部のこのタイプのトランスポンダ６の主要部、即ち、プログラムされた情報、例えばID番号を持つIC１２と、信号の受信及び返信のためのアンテナ１３と、スイッチング素子１４とが、識別され得る。
【００４０】
この実施例においては、立方体１１は、制御されるべき照明の色に対応するように着色されてもよい。何が立方体のアクティブ位置及び非アクティブ位置であるかを確かめるために、アクティブ時に上を向いている面は完全に着色される一方で、立方体が非アクティブである場合に上を向いている面には、適切な色のただのしるし(indication)、例えば、着色された点を持つ黒色が設けられてもよい。図４においては、左側の立方体１１はアクティブであるのに対して、中央及び右側の立方体１１は非アクティブである。照明色及び強度が制御される方法は第１実施例と同様であり、違いは、第１実施例においてはボウル状容器４内にビー玉を置くことによる、第２実施例においては立方体１１をひっくり返すことによる、トランスポンダが該トランスポンダの第１位置から第２位置へ移される方法にある。
【００４１】
図５には重力スイッチに代わるものが示されている。この場合には、立方体１１に空洞１６が設けられる。この空洞１６内には、この空洞１６内で動くことが出来るトランスポンダ６が配置される。更に、空洞１６には、空洞の半分を覆う金属シールド１７が設けられる。図５の左側の立方体においては、シールド１７は、立方体１１が該立方体１１の第２（アクティブ）位置にある場合の、即ち、トランスポンダ６が検出装置４によって検出されるであろう立方体１１のこの向きにおける空洞１６の上半分を覆う。立方体１１が、図５の中央及び右側の立方体のためになされたようにひっくり返される場合、シールド１７は、空洞の下半分を覆い、トランスポンダ６は下に落ち、RFIDタグからの通信は遮断され、故に、RFIDタグは、検出装置４によって認識されないであろう、即ち、非アクティブである。 
【００４２】
ここでも、立方体の使用はこの例を限定しておらず、トランスポンダ６を有する有体物は、例えば平坦な円盤又は円柱といった異なる形状をしていてもよい。 
【００４３】
更に、２つの実施例は組み合わされてもよく、例えば、トランスポンダ６にスイッチング素子１４が設けられる場合に、該トランスポンダ６はボウル状容器５内でも用いられ得る。その場合には、トランスポンダ６は、ボウル状容器５内にとどまり、該トランスポンダ６をひっくり返すことによって該トランスポンダ６の第１位置から第２位置へ移される。その場合、好ましくは、トランスポンダは、円盤状又は丸石(pebble)状である。
【００４４】
表面１５を各サブエリアが検出装置４を具備する多数のサブエリアに分割すると、照明が制御されなければならない部屋の地図として表面１５を使用することが可能になる。表面１５における立方体１１の相対位置は、どの検出装置４が前記立方体１１の存在を認識するかを決定し、従って、それらは、部屋のどの特定の部分において照明が制御されるのかを示すのに用いられ得る。
【００４５】
要約すると、本発明は、部屋の中の照明状態を決定する照明ユニット２の照明色及び／又は強度を制御するユーザインタフェース３を備える照明システム１に関する。ユーザインタフェース３は、検出装置４及びトランスポンダ６を有するシステムに基づいている。トランスポンダ６を該トランスポンダ６が検出されるであろうように検出装置４内に動かすことにより、トランスポンダ６は応答信号を送信し、前記信号が、照明ユニット２の照明色及び／又は強度を制御する。各トランスポンダ６は、特定の色又は特定の光強度を制御するようプログラムされる。
【図面の簡単な説明】
【００４６】
【図１】本発明による照明装置の概略図である。
【図２Ａ】本発明による第１実施例を示す。
【図２Ｂ】本発明による第１実施例を示す。
【図２Ｃ】本発明による第１実施例を示す。
【図２Ｄ】本発明による第１実施例を示す。
【図２Ｅ】本発明による第１実施例を示す。
【図３】第１実施例の変形例である。
【図４】本発明による第２実施例を示す。
【図５】第２実施例の変形例である。
【図１】
2007536720.tif 000003
【図２Ａ】
2007536720.tif 000004
【図２Ｂ】
2007536720.tif 000005
【図２Ｃ】
2007536720.tif 000006
【図２Ｄ】
2007536720.tif 000007
【図２Ｅ】
2007536720.tif 000008
【図３】
2007536720.tif 000009
【図４】
2007536720.tif 000010
【図５】
2007536720.tif 000011
【国際調査報告】
2007536720.tif 000012
2007536720.tif 000013
2007536720.tif 000014